(57)【要約】【課題】液体処理装置に装着した際にチューブがキンクするのを防止することができる液体回路を提供する。【解決手段】血液浄化装置１００に装着されて液体が流通する液体回路１であって、液体を流通させるチューブ２と、チューブ２が配設されるフレームパネル６と、を備え、フレームパネル６は、チューブ２の配設経路に形成された開口部９と、開口部９におけるチューブ２の上流側及び下流側の何れか一方又は双方においてチューブ２をフレームパネル６の反対側から係止する係止片８ａと、開口部９から係止片８ａに係止されたチューブ２に沿って係止片８ａとの対向位置に向けて延びる開口延長部９ａと、を有する。【選択図】図５
2015139560.tif 000002
【特許請求の範囲】
【請求項１】
液体処理装置に装着されて液体が流通する液体回路であって、
前記液体を流通させるチューブと、
前記チューブが配設されるフレームパネルと、
を備え、
前記フレームパネルは、
前記チューブの配設経路に形成された開口部と、
前記開口部における前記チューブの上流側及び下流側の何れか一方又は双方において前記チューブを前記フレームパネルの反対側から係止する係止片と、
前記開口部から前記係止片に係止された前記チューブに沿って前記係止片との対向位置に向けて延びる開口延長部と、
を有する、
液体回路。
【請求項２】
前記開口延長部は、前記開口部から前記係止片に係止された前記チューブに沿って前記係止片との対向位置まで延びる、
請求項１に記載の液体回路。
【請求項３】
前記開口延長部は、前記開口部から前記係止片に係止された前記チューブに沿って前記係止片との対向位置を超える位置まで延びる、
請求項１に記載の液体回路。
【請求項４】
前記フレームパネルは、硬質樹脂により形成されている、
請求項１〜３の何れか一項に記載の液体回路。
【請求項５】
前記開口延長部は、前記開口部よりも幅が狭い、
請求項１〜４の何れか一項に記載の液体回路。
【請求項６】
前記係止片は、前記開口部における前記チューブの上流側及び下流側の双方に形成されており、前記チューブを直線状に延ばした状態で係止可能な位置に配置されている、
請求項１〜５の何れか一項に記載の液体回路。
【請求項７】
前記液体処理装置は、
前記チューブが挿入される挿入溝が形成され、前記挿入溝に挿入された前記チューブを挟み込んで前記液体の流通を阻止可能なクランプ部と、
前記クランプ部における前記チューブの上流側及び下流側において前記チューブを押圧して前記挿入溝に押し込む押圧部と、
を備えており、
前記開口部は、前記液体回路が前記液体処理装置に装着された際に前記クランプ部及び前記押圧部に対応する位置に形成されている、
請求項１〜６の何れか一項に記載の液体回路。
【請求項８】
前記液体回路は、血液浄化装置に取り付けられており、
前記液体は、透析治療に用いられる透析液及び補液の何れか一方又は双方である、
請求項１〜７の何れか一項に記載の液体回路。
【発明の詳細な説明】
【技術分野】
【０００１】
本発明は、液体処理装置に装着される液体回路に関する。
【背景技術】
【０００２】
透析治療に用いられる血液浄化装置などの液体処理装置には、血液が循環する血液回路や血液回路に薬液を補液する補液回路などの液体回路が装着される。液体回路は、液体を加温するための加温部と、加温部に接続された複数のチューブと、を備えており、液体処理装置は、液体回路の加温部を加温するヒータと、液体回路のチューブをクランプするクランプ部と、を備えている。このため、液体回路を液体処理装置に装着する際は、液体回路の加温部及びチューブを液体処理装置のヒータ及びクランプに正確に位置決めする必要がある。そこで、硬質樹脂で形成されたフレームパネル上に加温部及びチューブを配設するとともに、フレームパネルに形成された係止片でチューブを拘束する液体回路が考えられてきた（例えば、特許文献１参照）。
【先行技術文献】
【特許文献】
【０００３】
【特許文献１】特開平０５−３１７４１８号公報
【発明の概要】
【発明が解決しようとする課題】
【０００４】
ところで、フレームパネルを用いた液体回路は、フレームパネルに対して液体処理装置の反対側にチューブを配設している。そこで、フレームパネルに開口部を形成するとともに、クランプ部の上流側及び下流側においてチューブを開口部に押し込むことで、クランプ部にチューブを挿入している。しかしながら、フレームパネルは硬質樹脂で形成されているため、チューブを開口部に押し込むと、開口部の端部でチューブがキンク（ｋｉｎｋ）してしまうという問題がある。
【０００５】
また、チューブは、係止片の間隔が広くなるほどチューブの位置決め精度が低くなることから、開口部の近傍に係止片を形成している。しかしながら、開口部の近傍でチューブが拘束されることにより、チューブを開口部に押し込むことにより生じるチューブのキンクが助長される。
【０００６】
そこで、本発明は、液体処理装置に装着した際にチューブがキンクするのを防止することができる液体回路を提供することを目的とする。
【課題を解決するための手段】
【０００７】
本発明に係る液体回路は、液体処理装置に装着されて液体が流通する液体回路であって、液体を流通させるチューブと、チューブが配設されるフレームパネルと、を備え、フレームパネルは、チューブの配設経路に形成された開口部と、開口部におけるチューブの上流側及び下流側の何れか一方又は双方においてチューブをフレームパネルの反対側から係止する係止片と、開口部から係止片に係止されたチューブに沿って係止片との対向位置に向けて延びる開口延長部と、を有する。
【０００８】
本発明に係る液体回路によれば、フレームパネルに開口部が形成されているため、液体処理装置に装着した際に、チューブを開口部から液体処理装置側に押し込むことができる。また、開口部におけるチューブの上流側及び下流側の何れか一方又は双方においてチューブをフレームパネルの反対側から係止する係止片が形成されているため、開口部近傍におけるチューブの位置決め精度を高くすることができる。そして、開口部から係止片に係止されたチューブに沿って係止片との対向位置に向けて延びる開口延長部が形成されているため、チューブを開口部から液体処理装置側に押し込んだ際に、チューブを開口延長部から液体処理装置側に逃がすことができる。これにより、チューブを緩やかに曲げることができるため、液体処理装置に装着した際にチューブがキンクするのを防止することができる。
【０００９】
開口延長部は、開口部から係止片に係止されたチューブに沿って係止片との対向位置まで延びてもよい。このように、開口延長部が、開口部から係止片に係止されたチューブに沿って係止片との対向位置まで延びることで、フレームパネル上において係止片に拘束されているチューブを適切に液体処理装置側に逃がすことができる。
【００１０】
開口延長部は、開口部から係止片に係止されたチューブに沿って係止片との対向位置を超える位置まで延びてもよい。このように、開口延長部が、開口部から係止片に係止されたチューブに沿って係止片との対向位置を超える位置まで延びることで、フレームパネル上において係止片に拘束されているチューブを適切に液体処理装置側に逃がすことができる。
【００１１】
フレームパネルは、硬質樹脂により形成されていてもよい。このように、フレームパネルが硬質樹脂により形成されていることで、チューブの配設をより高精度に行うことができるため、液体処理装置への装着性を向上させることができる。
【００１２】
開口延長部は、開口部よりも幅が狭くてもよい。このように、開口延長部の幅を開口部よりも狭くすることで、チューブのキンクを抑制しつつ、フレームパネルの剛性が低下するのを抑制することができる。
【００１３】
係止片は、開口部におけるチューブの上流側及び下流側の双方に形成されており、チューブを直線状に延ばした状態で係止可能な位置に配置されていてもよい。このように、係止片を、開口部におけるチューブの上流側及び下流側の双方に形成するとともに、チューブを直線状に延ばした状態で係止可能な位置に配置することで、開口部近傍におけるチューブの位置決め精度を更に高くすることができる。
【００１４】
液体処理装置は、チューブが挿入される挿入溝が形成され、挿入溝に挿入されたチューブを挟み込んで液体の流通を阻止可能なクランプ部と、クランプ部におけるチューブの上流側及び下流側においてチューブを押圧して挿入溝に押し込む押圧部と、を備えており、開口部は、液体回路が液体処理装置に装着された際にクランプ部及び押圧部に対応する位置に形成されていてもよい。このように、液体回路が液体処理装置に装着された際にクランプ部及び押圧部が配置される位置に開口部を形成することで、液体処理装置に対する液体回路の位置決めを容易に行うことができる。しかも、押圧部によりチューブを開口部からクランプ部の挿入溝に押し込んだ際に、チューブを開口延長部から液体処理装置側に逃がすことができる。これにより、液体処理装置に装着してチューブをクランプ部の挿入溝に挿入した際にチューブがキンクするのを防止することができる。
【００１５】
液体回路は、血液浄化装置に取り付けられており、液体は、透析治療に用いられる透析液及び補液の何れか一方又は双方であってもよい。このような液体処理装置を血液浄化装置に取り付けることで、上記と同様な作用効果を得ることができる。
【発明の効果】
【００１６】
本発明によれば、液体処理装置に装着した際にチューブがキンクするのを防止することができる。
【図面の簡単な説明】
【００１７】
【図１】実施形態に係る液体回路を装着可能な血液浄化装置の斜視図である。
【図２】クランプ部を血液浄化装置の側方から見た図である。
【図３】実施形態に係る液体回路を表面側から見た図である。
【図４】実施形態に係る液体回路を裏面側から見た図である。
【図５】実施形態に係る液体回路を裏面側から見た一部拡大図である。
【図６】液体回路を血液浄化装置に装着した状態を示す一部拡大図である。
【図７】クランプ部でチューブをクランプしていない状態を示した図である。
【図８】クランプ部でチューブをクランプしている状態を示した図である。
【図９】血液浄化装置の蓋部が開いた状態を示す一部断面図である。
【図１０】血液浄化装置の蓋部が閉じた状態を示す一部断面図である。
【図１１】開口延長部が形成されていない液体回路を用いた場合の、血液浄化装置の蓋部が閉じた状態を示す一部断面図である。
【発明を実施するための形態】
【００１８】
以下、本発明に係る液体回路の好適な実施形態について詳細に説明する。なお、本実施形態で用いる「液体」とは、医療用途で用いる液体であり、例えば、透析治療に用いられる透析液及び補液の何れか一方又は双方や、血液等とすることができる。また、全図中、同一又は相当部分には同一符号を付すこととする。
【００１９】
［血液浄化装置］
図１に示すように、本実施形態に係る液体回路１は、補液や透析液が流通する回路であり、液体処理装置の一つである血液浄化装置１００に装着されて用いられる。血液浄化装置１００は、装置本体１０１と、装置本体１０１を支える台車部１０２と、装置本体１０１の上方に配置された操作パネル１０３と、装置本体１０１の脇に立設され、液体貯留バック等を吊り下げるポール１０４とを備えている。
【００２０】
装置本体１０１は、正面部分１１０と側面部分１１１とを備えており、正面部分１１０の所定位置には、血液回路１２０が装着される。正面部分１１０には、血液回路１２０の流路となるチューブを開閉する各種クランプ、液体を圧送するローラポンプ、流体圧を検出する圧力センサ、濾過膜モジュールを保持するフィルタホルダーなどが設けられている。
【００２１】
側面部分１１１には開閉する扉１１２が設けられており、扉１１２に面する部分に液体回路１が装着される装着部１１３が形成されている。また、側面部分１１１の上部であって、扉１１２から露出する部分には、３つのローラポンプ１１４が配置されている。各ローラポンプ１１４には、液体回路１のチューブ２が半周ほど捲かれ、回転するローラポンプ１１４が可撓性を有するチューブ２をしごきながら液体を移送する。
【００２２】
装着部１１３には、液体回路１の位置決めを行うボス部１１５と、液体回路１を流通する液体を加温するヒータ１１６と、液体回路１のチューブ２をクランプするクランプ部１１７と、液体回路１を装着部１１３に固定する固定レバー１１９と、が設けられている。
【００２３】
ヒータ１１６は、縦長の矩形状に形成されて、装着部１１３の略中央部に配置されている。ヒータ１１６の構造は、特に限定されるものではないが、例えば、通電により発熱する構造とすることができる。
【００２４】
ボス部１１５は、ヒータ１１６の下部に配置されて、装着部１１３から突出している。
【００２５】
固定レバー１１９は、ヒータ１１６の上部に配置されて、装着部１１３から突出しており、その先端部に、下方に突出したフック状（鍵状）の係止部１１９ａが形成されている。また、固定レバー１１９は、装着部１１３に対して、係止部１１９ａが上下に移動するように取り付けられており、ばね等の弾性部材（不図示）により、係止部１１９ａが下方に移動するように付勢されている。
【００２６】
クランプ部１１７は、ヒータ１１６の周囲の三箇所に設けられている。具体的に説明すると、ヒータ１１６の右方に、クランプ部１１７が上下２箇所に設けられており、ヒータ１１６の左方に、クランプ部１１７が一箇所に設けられている。なお、これら三箇所に設けられたクランプ部１１７は、全て同じ構成をしている。
【００２７】
図１及び図２に示すように、クランプ部１１７は、装着部１１３から血液浄化装置１００の側方に突出している。クランプ部１１７は、半球状断面の第一固定部１１７ａと、第一固定部１１７ａと対向配置される半円弧状断面の第二固定部１１７ｂと、第二固定部１１７ｂの内周空間に配置される半球状断面の可動部１１７ｃと、を備えている。
【００２８】
第一固定部１１７ａ及び第二固定部１１７ｂは、装着部１１３に固定されており、第一固定部１１７ａと第二固定部１１７ｂとの間に、チューブ２が挿入される挿入溝１１７ｄが形成されている。挿入溝１１７ｄは、血液浄化装置１００の上下方向において直線状に延びている。なお、第一固定部１１７ａには、第二固定部１１７ｂ側に突出する凸部１１７ｅが形成されており、凸部１１７ｅにより挿入溝１１７ｄが部分的に狭くなっている。可動部１１７ｃは、第一固定部１１７ａと対向配置される半円弧状断面の第二固定部１１７ｂと、第二固定部１１７ｂの内周空間から挿入溝１１７ｄに出没するように、第一固定部１１７ａ側及び第二固定部１１７ｂ側に移動可能となっている。可動部１１７ｃが第一固定部１１７ａ側に移動して挿入溝１１７ｄに出てくると、第一固定部１１７ａ（凸部１１７ｅ）と可動部１１７ｃとの間隔が狭くなるため、挿入溝１１７ｄに挿入されたチューブ２がクランプされる（図８参照）。一方、可動部１１７ｃが第二固定部１１７ｂ側に移動して第二固定部１１７ｂの内周空間に引っ込むと、第一固定部１１７ａ（凸部１１７ｅ）と可動部１１７ｃとの間隔が広がるため、挿入溝１１７ｄに挿入されたチューブ２のクランプが解除される（図７参照）。このように、クランプ部１１７は、挿入溝１１７ｄに挿入されたチューブ２を挟み込んで液体の流通を阻止可能となる。
【００２９】
扉１１２には、扉１１２を閉めた際にチューブ２をクランプ部１１７の挿入溝１１７ｄに押し込む押圧部１１８が設けられている。押圧部１１８は、扉１１２から板状に突出する部位である。押圧部１１８は、一つのクランプ部１１７に対して一対設けられている。この一対の押圧部１１８は、扉１１２が閉められた際に、クランプ部１１７に対して、挿入溝１１７ｄに挿入されたチューブ２の上流側及び下流側となる位置に配置されている。このため、扉１１２を閉めることで、一対の押圧部１１８により、クランプ部１１７におけるチューブ２の上流側及び下流側においてチューブ２を押圧することが可能となっている。
【００３０】
［液体回路］
図１、図３及び図４に示すように、液体回路１は、ポリ塩化ビニル等で製造された可撓性を有するチューブ２を備えている。また、液体回路１は、その機能的役割に応じて、通過する液体を加温する加温用流路部４Ａと、ローラポンプ１１４にセットされることで液体を圧送する圧送用流路部４Ｂと、液体を計量する計量用流路部４Ｃとを備えている。加温用流路部４Ａ、圧送用流路部４Ｂ及び計量用流路部４Ｃは、チューブ２により接続されている。加温用流路部４Ａは、液体回路１の中央に配置されており、圧送用流路部４Ｂ及び計量用流路部４Ｃは、加温用流路部４Ａを挟んで液体回路１の両端に配置されている。
【００３１】
図３及び図４に示すように、加温用流路部４Ａは、縦長の矩形状に形成された加温部５と、加温部５に接続されて加温部５との間で液体を流通させるチューブ２と、加温部５及びチューブを保持する矩形枠状のフレームパネル６と、を備えている。加温部５は、例えばＰＰでブロー成形し、フレームパネル６は、例えば、ＡＢＳで射出成形する。
【００３２】
加温部５は、内部に液体の流路が形成されて、ヒータ１１６により加温されるものである。加温部５には、ヒータ１１６との接触面を大きくとるための蛇行流路５ａが左右二列で形成されており、二列の蛇行流路５ａには、入口と出口とのそれぞれにチューブ２が接続されている。このため、チューブ２は、蛇行流路５ａとの間で液体を流通させることが可能となっている。加温部５の四隅（角部）近傍には、フレームパネル６が引っ掛けられる掛止孔（不図示）が設けられている。
【００３３】
フレームパネル６は、加温部５の外周を取り囲んで保持するとともに、その表面側においてチューブ２が配置されるものである。フレームパネル６は、硬質樹脂により縦長の矩形枠状に形成されており、フレームパネル６中央部に、加温部５が配置される中央開口部７が形成されている。フレームパネル６の上下一対の短辺６ａ，６ｂのうち、一方（上方）の短辺６ａ側に、チューブ２を介して圧送用流路部４Ｂが配置されており、他方（下方）の短辺６ｂ側に、チューブ２を介して及び計量用流路部４Ｃが配置されている。
【００３４】
中央開口部７は、ヒータ１１６に対応する位置に形成されている。ここで、ヒータ１１６に対応する位置とは、液体回路１が装置本体１０１の装着部１１３に装着された際に、装着部１１３、加温用流路部４Ａ及び扉１１２が重ね合わされる方向において（側面視において）、ヒータ１１６と重なる位置をいう。中央開口部７は、加温部５の外形に対応しており、加温部５は、フレームパネル６の表面側で中央開口部７を塞ぐようにセットされる。中央開口部７の上縁に沿った二か所及び下縁に沿った二か所には、加温部５の掛止孔に引っ掛けるための爪部（図示省略）が設けられている。このため、フレームパネル６の爪部を加温部５の掛止孔に引っ掛けることで、加温部５をフレームパネル６に装着でき、フレームパネル６の爪部を加温部５の掛止孔から外すことで、加温部５をフレームパネル６から容易に取り外すことが可能となっている。
【００３５】
図３〜図８に示すように、フレームパネル６には、縦長の略矩形状に形成された開口部９が形成されている。開口部９は、クランプ部１１７及び押圧部１１８に対応する位置に形成されている。ここで、クランプ部１１７及び押圧部１１８に対応する位置とは、液体回路１が装置本体１０１の装着部１１３に装着されて扉１１２が閉められた際に、装着部１１３、加温用流路部４Ａ及び扉１１２が重ね合わされる方向において（側面視において）、クランプ部１１７及び押圧部１１８と重なる位置をいう。具体的に説明すると、フレームパネル６における中央開口部７の右方に、開口部９が上下二箇所に形成されており、フレームパネル６における中央開口部７の左方に、開口部９が一箇所に形成されている。開口部９は、フレームパネル６を貫通している。このため、扉１１２を閉めることで、開口部９に配設されたチューブ２を、押圧部１１８により開口部９からクランプ部１１７の挿入溝１１７ｄに押し込むことが可能となっている。
【００３６】
フレームパネル６の表面には、チューブ２を係止してチューブ２を拘束する複数の係止片８が設けられている。なお、係止片８は、フックともいう。係止片８は、開口部９がチューブ２の配置経路となるように、換言すると、チューブ２の配設経路に開口部９が形成されるように、チューブ２を係止している。ここで、チューブ２の配設経路に開口部９が形成されていることから、開口部９付近では係止片８の間隔が広くなってチューブ２の位置決め精度が低くなる。このため、複数ある係止片８の一部は、各開口部９の近傍であって、各開口部９におけるチューブ２の上流側及び下流側の双方に形成されている。この各開口部９の近傍に形成される一対の係止片８を、特に係止片８ａという。係止片８ａは、開口部９においてチューブ２を直線状に延ばした状態で係止可能な位置に配置されている。なお、係止片８ａは、必ずしも開口部９におけるチューブ２の上流側及び下流側の双方に形成されていなくてもよく、開口部９におけるチューブ２の上流側又は下流側の何れか一方にのみ形成されていてもよい。
【００３７】
そして、フレームパネル６には、一対の係止片８ａに係止されたチューブ２に沿って、開口部９から係止片８ａとの対向位置に向けて延びる開口延長部９ａが形成されている。係止片８ａとの対向位置とは、装着部１１３、加温用流路部４Ａ及び扉１１２が重ね合わされる方向において（側面視において）、係止片８ａと重なる位置をいう。
【００３８】
開口延長部９ａは、係止片８ａとの対向位置を超える位置まで延びている。但し、開口延長部９ａは、必ずしも係止片８ａとの対向位置を超える位置まで延びていなくてもよく、例えば、係止片８ａとの対向位置までしか延びていなくても、係止片８ａとの対向位置の手前までしか延びていなくてもよい。
【００３９】
開口延長部９ａの左右方向の幅は、チューブ２の直径よりも広くなっている。ここで、左右方向の幅とは、開口部９を通るチューブ２の延在方向と直交する方向の寸法であって、図５の左右方向の寸法である。また、開口延長部９ａは、開口部９よりも左右方向の幅が狭くなっている。そして、開口部９におけるチューブ２の上流側に形成される係止片８ａと開口部９におけるチューブ２の下流側に形成される係止片８ａとは、開口延長部９ａに対して、左右逆に形成されている。つまり、図７において、開口部９におけるチューブ２の上流側に形成される係止片８ａは、開口延長部９ａの左方においてフレームパネル６に接続されて、チューブ２を跨ぐように右方に向けて延びており、開口部９におけるチューブ２の下流側に形成される係止片８ａは、開口延長部９ａの右方においてフレームパネル６に接続されており、チューブ２を跨ぐように左方に向けて延びている。
【００４０】
次に、液体回路１を血液浄化装置１００に装着して扉１１２を閉めるときの状態について説明する。
【００４１】
まず、液体回路１を血液浄化装置１００の装着部１１３に装着する。液体回路１の装着では、フレームパネル６の下端部をボス部１１５で位置決めし、フレームパネル６の上端部を固定レバー１１９の係止部１１９ａで係止することで、フレームパネル６を装着部１１３に固定する。これにより、加温部５がヒータ１１６に対応する位置に配置され、開口部９がクランプ部１１７及び押圧部１１８に対応する位置に配置され、開口部９を通るチューブ２がクランプ部１１７の挿入溝１１７ｄに対応する位置に配置される。このとき、図９に示すように、チューブ２は、フレームパネル６に対してクランプ部１１７の反対側に配置される。
【００４２】
次に、扉１１２を閉める。すると、図１０に示すように、開口部９を通るチューブ２は、一対の押圧部１１８により、開口部９から血液浄化装置１００側に押し込まれる。このとき、一対の押圧部１１８により開口部９に押し込まれるチューブ２は、開口延長部９ａから血液浄化装置１００側に逃げることができるため、緩やかに曲げられる。
【００４３】
これに対し、開口延長部９ａが形成されていない場合は、図１１に示すように、一対の押圧部１１８と開口部９の端部との距離が短くなる。このため、一対の押圧部１１８により、開口部９を通るチューブ２が開口部９から血液浄化装置１００側に押し込まれると、開口部９のエッジ部でチューブ２が急激に曲げられるため、開口部９のエッジ部でチューブ２がキンクする可能性がある。
【００４４】
このように、本実施形態に係る液体回路１によれば、フレームパネル６に開口部９が形成されているため、血液浄化装置１００に装着した際に、チューブ２を開口部９から血液浄化装置１００側に押し込むことができる。また、液体回路１が血液浄化装置１００に装着された際にクランプ部１１７及び押圧部１１８が配置される位置に開口部９が形成されているため、血液浄化装置１００に対する液体回路１の位置決めを容易に行うことができる。また、開口部９におけるチューブ２の上流側及び下流側の双方においてチューブ２をフレームパネル６の反対側から係止する係止片８ａが形成されているため、開口部９近傍におけるチューブの位置決め精度を高くすることができる。
【００４５】
そして、開口部９から係止片８ａに係止されたチューブ２に沿って係止片８ａとの対向位置に向けて延びる開口延長部９ａが形成されているため、チューブ２を開口部９から血液浄化装置１００側に配置されるクランプ部１１７の挿入溝１１７ｄに押し込んだ際に、チューブ２を開口延長部９ａから血液浄化装置１００側に逃がすことができる。これにより、チューブ２を緩やかに曲げることができるため、血液浄化装置１００に装着した際にチューブ２がキンクするのを防止することができる。
【００４６】
また、開口延長部９ａが、開口部９から係止片８ａに係止されたチューブ２に沿って係止片８ａとの対向位置まで、更には、係止片８ａとの対向位置を超える位置まで延びることで、フレームパネル６上において係止片８ａに拘束されているチューブ２を適切に血液浄化装置１００側に逃がすことができる。
【００４７】
また、係止片８ａを、開口部９におけるチューブ２の上流側及び下流側の双方に形成するとともに、チューブ２を直線状に延ばした状態で係止可能な位置に配置することで、開口部９近傍におけるチューブ２の位置決め精度を更に高くすることができる。
【００４８】
また、フレームパネル６が硬質樹脂により形成されていることで、チューブ２の配設をより高精度に行うことができるため、血液浄化装置１００への装着性を向上させることができる。
【００４９】
また、開口延長部９ａの幅を開口部９よりも狭くすることで、チューブ２のキンクを抑制しつつ、フレームパネル６の剛性が低下するのを抑制することができる。
【００５０】
以上、本発明の好適な実施形態について説明したが、本発明は上記実施形態に限定されるものではない。例えば、上記実施形態では、液体回路が装着される液体処理装置の一例として血液浄化装置を挙げたが、液体処理装置は血液浄化装置に限定されるものではない。
【符号の説明】
【００５１】
１…液体回路、２…チューブ、４Ａ…加温用流路部、４Ｂ…圧送用流路部、４Ｃ…計量用流路部、５…加温部、５ａ…蛇行流路、６…フレームパネル、６ａ，６ｂ…短辺、７…中央開口部、８…係止片、８ａ…係止片、９…開口部、９ａ…開口延長部、１００…血液浄化装置、１０１…装置本体、１０２…台車部、１０３…操作パネル、１０４…ポール、１１０…正面部分、１１１…側面部分、１１２…扉、１１３…装着部、１１４…ローラポンプ、１１５…ボス部、１１６…ヒータ、１１７…クランプ部、１１７ａ…第一固定部、１１７ｂ…第二固定部、１１７ｃ…可動部、１１７ｄ…挿入溝、１１７ｅ…凸部、１１８…押圧部、１１９…固定レバー、１１９ａ…係止部、１２０…血液回路。
【図１】
2015139560.tif 000003
【図２】
2015139560.tif 000004
【図３】
2015139560.tif 000005
【図４】
2015139560.tif 000006
【図５】
2015139560.tif 000007
【図６】
2015139560.tif 000008
【図７】
2015139560.tif 000009
【図８】
2015139560.tif 000010
【図９】
2015139560.tif 000011
【図１０】
2015139560.tif 000012
【図１１】
2015139560.tif 000013